(57)【要約】【課題】ケースの製造コストを抑制する。【解決手段】コネクタ１０では、ケース１２のリテーナ配置部３２にリテーナ４０が挿入される。さらに、ケース１２の左側壁部１４及び右側壁部１６における開口部５６の係止部６２にリテーナ４０の本係止爪７０が係止されて、リテーナ４０が配置位置に配置される。ここで、左側壁部１４及び右側壁部１６では、溝部５４と共に開口部５６が形成される。このため、ケース１２の製造コストを抑制できる。【選択図】図１
2020115409.tif 000002
【特許請求の範囲】
【請求項１】
壁部を有するケースと、
前記ケースの一方向中間部に設けられ、前記ケースの外側に開口されると共に、前記壁部が形成する配置部と、
前記壁部に設けられ、前記配置部内に開口されると共に、周縁に係止部が設けられる開口部と、
前記壁部に設けられ、前記開口部に連通されて前記開口部を一方向側に開放させる溝部と、
前記配置部に挿入される配置体と、
前記配置体に設けられ、前記係止部に係止されて前記配置体が配置位置に配置される係止爪と、
を備えたコネクタ。
【請求項２】
前記壁部に設けられ、前記配置部に前記配置体が挿入される際に前記係止爪が移動される切欠き部を備える請求項１に記載のコネクタ。
【請求項３】
前記配置体に設けられ、前記係止部に係止されて前記配置体が仮配置位置に配置される仮係止爪を備える請求項１又は請求項２に記載のコネクタ。
【請求項４】
前記配置体に設けられ、前記配置部に前記配置体が挿入される際に前記仮係止爪の前記壁部による揺動を可能にする揺動部を備える請求項３に記載のコネクタ。
【発明の詳細な説明】
【技術分野】
【０００１】
本発明は、ケースに配置体が配置されるコネクタに関する。
【背景技術】
【０００２】
特許文献１のコネクタでは、ハウジングにおいて側壁に挿入孔を形成しており、ハウジングの挿入孔にリテーナが挿入される。さらに、ハウジングの側壁に切欠きが貫通形成されており、リテーナの本係止片が側壁の切欠き周縁に係止される。
【先行技術文献】
【特許文献】
【０００３】
【特許文献１】特開２００６−７３３７４号公報
【発明の概要】
【発明が解決しようとする課題】
【０００４】
しかしながら、ハウジングを金型により成形する際には、切欠きを形成するための金型の抜き方向が側壁の厚さ方向にされて、金型の抜き方向が増加している。このため、金型の構造が複雑となり、金型のコストが上昇し、ハウジングの製造コストが上昇してしまうという懸念がある。
【０００５】
本発明は、上記事実を鑑みて成されたものであり、ケースの製造コストを抑制できるコネクタを提供することを目的とする。
【課題を解決するための手段】
【０００６】
本発明の第１の態様のコネクタは、壁部を有するケースと、前記ケースの一方向中間部に設けられ、前記ケースの外側に開口されると共に、前記壁部が形成する配置部と、前記壁部に設けられ、前記配置部内に開口されると共に、周縁に係止部が設けられる開口部と、前記壁部に設けられ、前記開口部に連通されて前記開口部を一方向側に開放させる溝部と、前記配置部に挿入される配置体と、前記配置体に設けられ、前記係止部に係止されて前記配置体が配置位置に配置される係止爪と、を備える。
【０００７】
第２の態様のコネクタは、第１の態様において、前記壁部に設けられ、前記配置部に前記配置体が挿入される際に前記係止爪が移動される切欠き部を備える。
【０００８】
第３の態様のコネクタは、第１の態様又は第２の態様において、前記配置体に設けられ、前記係止部に係止されて前記配置体が仮配置位置に配置される仮係止爪を備える。
【０００９】
第４の態様のコネクタは、第３の態様において、前記配置体に設けられ、前記配置部に前記配置体が挿入される際に前記仮係止爪の前記壁部による揺動を可能にする揺動部を備える。
【発明の効果】
【００１０】
本発明の第１の態様のコネクタでは、ケースの一方向中間部に配置部が設けられており、ケースの壁部が配置部を形成すると共に、配置部がケースの外側に開口される。また、ケースの壁部には、配置部内に開口された開口部が設けられており、開口部の周縁には係止部が設けられる。さらに、ケースの配置部に配置体が挿入されており、配置体の係止爪がケースの係止部に係止されて、配置体が配置位置に配置される。
【００１１】
ここで、ケースの壁部に溝部が設けられており、溝部が、開口部に連通されて、開口部を一方向側に開放させる。このため、ケースを金型により成形する際には、壁部に溝部と共に開口部を設けることができ、金型を低コストにできて、ケースの製造コストを抑制できる。
【００１２】
第２の態様のコネクタでは、ケースの配置部に配置体が挿入される際に、係止爪が壁部の切欠き部を移動される。これにより、配置部に配置体を容易に挿入できる。
【００１３】
第３の態様のコネクタでは、配置体の仮係止爪がケースの係止部に係止されて、配置体が仮配置位置に配置される。これにより、配置体を仮配置位置に配置できる。
【００１４】
第４の態様のコネクタでは、ケースの配置部に配置体が挿入される際に、配置体の揺動部が仮係止爪の壁部による揺動を可能にする。これにより、仮係止爪が揺動されることで、仮係止爪を係止部に容易に係止できて、配置体を仮配置位置に容易に配置できる。
【図面の簡単な説明】
【００１５】
【図１】本実施形態に係るコネクタの後斜め右下から見た斜視図である。
【図２】リテーナが装着された状態を示すコネクタの後斜め右下から見た斜視図である。
【図３】リテーナの主要部を示す前斜め右から見た斜視図である。
【図４】（Ａ）及び（Ｂ）は、各々コネクタの前斜め左上から見た斜視図であり、（Ａ）は、リテーナの仮係止状態を示し、（Ｂ）は、リテーナの本係止状態を示している。
【図５】（Ａ）は、図４（Ａ）の５Ａ−５Ａ線に沿う断面図、（Ｂ）は、図４（Ａ）の５Ｂ−５Ｂ線に沿う断面図、（Ｃ）は、図４（Ｂ）の５Ｃ−５Ｃ線に沿う断面図である。
【発明を実施するための形態】
【００１６】
以下、図面を参照して本発明の実施形態について詳細に説明する。
本実施形態では、コネクタ１０を例に説明する。なお、図面では、矢印ＦＲにてコネクタ１０の前側が示され、矢印ＲＥにてコネクタ１０の後側が示され、矢印ＵＰにてコネクタ１０の上側が示され、矢印ＤＮにてコネクタ１０の下側が示され、矢印ＨＲにてコネクタ１０の左右方向（幅方向）右側が示されている。これらの方向は、本実施形態において便宜上設定した方向であって、コネクタ１０が用いられる車両などの各種装置等における方向の各々に一致するとは限らない。例えば、コネクタ１０は、上側が上方に向けられて前側から装着部（相手側コネクタ）に組付けられる。
【００１７】
図１及び図２には、各々コネクタ１０の主要部が、下斜め右後側から見た斜視図にて示されており、図１は、リテーナ４０の非配置位置（非装着状態）とされ、図２は、リテーナ４０の配置位置（装着状態）とされている。
【００１８】
図１及び図２に示すように、コネクタ１０は、略ブロック状のケース１２を備えており、ケース１２は、合成樹脂材料による一体成形により形成されている。ケース１２の左側には、壁部としての左側壁部１４が設けられ、ケース１２の右側には、壁部としての右側壁部１６が設けられている。
【００１９】
また、ケース１２は、後端において背板１８を備えており、背板１８は、厚さ方向が前後方向（矢印ＦＲ方向及び矢印ＲＥ方向）の略板状とされている。背板１８は、左側壁部１４及び右側壁部１６の各々の後端に連結されており、左側壁部１４及び右側壁部１６は、背板１８から略垂直に配置されている。
【００２０】
ケース１２には、背板１８の前側の左側壁部１４と右側壁部１６との間において後側端子配置部２０が設けられており、後側端子配置部２０は、ブロック状とされて背板１８の前側に一体に形成されている。
【００２１】
ケース１２の後側端子配置部２０の上下方向（矢印ＵＰ方向及び矢印ＤＮ方向）中間部よりも下側には、複数の後下側挿通孔２２が形成されている。後下側挿通孔２２は、後側端子配置部２０において左右方向（矢印ＨＲ方向及び矢印ＨＲとは反対方向）に一列に並んで配置されている。
【００２２】
また、ケース１２の後側端子配置部２０の上下方向中間部よりも上側（後下側挿通孔２２よりも上側）には、複数の後上側挿通孔２４が形成されている。後上側挿通孔２４は、後側端子配置部２０の左右方向中間部よりも左側及び右側にそれぞれ形成されている。左側及び右側の各々の複数の後上側挿通孔２４は、左右方向に一列に並んで配置されている。本実施形態では、左側の後上側挿通孔２４が２個とされ、右側の後上側挿通孔２４が３個とされている。
【００２３】
ケース１２の後下側挿通孔２２及び後上側挿通孔２４の各々は、ケース１２の背板１８及び後側端子配置部２０を前後方向（各図の矢印ＦＲ方向及び矢印ＲＥ方向）に貫通されている。後下側挿通孔２２及び後上側挿通孔２４の前端は、後側端子配置部２０の前面で開口され、後下側挿通孔２２及び後上側挿通孔２４の後端は、背板１８の後面で開口されている。
【００２４】
また、ケース１２の前側部分には、前側端子配置部２６が設けられており、前側端子配置部２６は、ブロック状とされ、左側壁部１４及び右側壁部１６に一体に形成されている。
【００２５】
ケース１２の前側端子配置部２６の上下方向中間部よりも下側には、複数の前下側挿通孔２８が形成されている。前下側挿通孔２８は、前側端子配置部２６において左右方向に一列に並んで配置されている。また、ケース１２の前側端子配置部２６の上下方向中間部よりも上側（前下側挿通孔２８よりも上側）には、複数の前上側挿通孔３０が形成されている。前上側挿通孔３０は、前側端子配置部２６の左右方向中間部よりも左側及び右側にそれぞれ形成されており、前上側挿通孔３０は、前側端子配置部２６の左側部分及び右側部分の各々に左右方向に一列に並んで配置されている。
【００２６】
前側端子配置部２６の前下側挿通孔２８及び前上側挿通孔３０の各々は、後側端子配置部２０の後下側挿通孔２２及び後上側挿通孔２４の各々に対応されている。ケース１２の前下側挿通孔２８及び前上側挿通孔３０の各々は、ケース１２の前側端子配置部２６を前後方向に貫通されている。前下側挿通孔２８及び前上側挿通孔３０の各々の前端は、前側端子配置部２６の前面で開口され、前下側挿通孔２８及び前上側挿通孔３０の後端は、前側端子配置部２６の後面（後側端子配置部２０に対向する面）で開口されている。なお、ケース１２では、前側端子配置部２６の前面において一部の前下側挿通孔２８及び一部の前上側挿通孔３０の各々複数が左右方向に連続されて開口されている（図４（Ａ）参照）。
【００２７】
ケース１２の上側では、後側端子配置部２０と前側端子配置部２６とが連続されて一体とされている。また、ケース１２には、リテーナ配置部３２が形成されている。リテーナ配置部３２は、左側壁部１４と右側壁部１６との間でかつ後側端子配置部２０と前側端子配置部２６との間において、左右方向に長い略矩形状とされており、リテーナ配置部３２は、上側が底部とされて下側に向けて開口されている。また、リテーナ配置部３２には、後側端子配置部２０の後下側挿通孔２２及び後上側挿通孔２４の各々と前側端子配置部２６の前下側挿通孔２８及び前上側挿通孔３０の各々とが開口されている。
【００２８】
ケース１２のリテーナ配置部３２の底部には、左右方向の両側部分に複数の支持溝３４が形成され、左右方向の中間部に複数の支持溝３６が形成されており、支持溝３４、３６の各々は、延伸方向が前後方向とされている。
【００２９】
後側端子配置部２０の後上側挿通孔２４と前側端子配置部２６の前上側挿通孔３０とは、支持溝３４によって連続されている。また、後側端子配置部２０の左右両側部分の複数の後下側挿通孔２２（後上側挿通孔２４の下側に隣接する後下側挿通孔２２）と前側端子配置部２６の左右両側部分の複数の前下側挿通孔２８（前上側挿通孔３０の下側に隣接する前下側挿通孔２８）とは、支持溝３４の下側空間において連続されている。さらに、後側端子配置部２０の左右方向中間部の複数の後下側挿通孔２２（後上側挿通孔２４の下側に隣接する後下側挿通孔２２を除く後下側挿通孔２２）と前側端子配置部２６の左右方向中間部分の複数の前下側挿通孔２８（前上側挿通孔３０の下側に隣接する前下側挿通孔２８を除く前下側挿通孔２８）とは、支持溝３６によって連続されている。
【００３０】
コネクタ１０のケース１２には、後側端子配置部２０の後下側挿通孔２２及び後上側挿通孔２４と、前側端子配置部２６の前下側挿通孔２８及び前上側挿通孔３０との全て又は一部に配線端子（ターミナル、図示省略）が配置される。
【００３１】
配線端子は、例えば、金属製の導電部材とされており、配線端子の長手方向が前後方向（矢印ＦＲ方向及び矢印ＲＥ方向）とされてケース１２に配置される。また、配線端子は、長手方向中間部よりも前側部分（先端側部分）が筒状とされ、筒状部分における前後方向両端が開口されており、配線端子は、長手方向中間部よりも後側部分のカシメなどにより電線（電気配線）が電気的に接続されている。
【００３２】
配線端子は、先端側（電線とは反対側）から後側端子配置部２０の後下側挿通孔２２及び後上側挿通孔２４に挿入され、先端部分がリテーナ配置部３２を通過し、前側端子配置部２６の前下側挿通孔２８及び前上側挿通孔３０に挿入されてケース１２内に配置される。これにより、配線端子は、長手方向中間部がリテーナ配置部３２内（支持溝３４、３６内など）に配置される。また、配線端子の配線は、後下側挿通孔２２及び後上側挿通孔２４からケース１２の外側（後側）に引出されている。
【００３３】
一方、ケース１２のリテーナ配置部３２には、配置体としてのリテーナ４０が配置される。リテーナ４０は、基板部４２及び脚部４４が合成樹脂材料などの絶縁材料によって一体に形成されている。リテーナ４０の基板部４２は、長手方向がケース１２の左右方向とされた矩形略板状とされ、下方視においてリテーナ配置部３２の開口に合わせた大きさとされている。脚部４４は、基板部４２の長手方向の両端部の各々に形成されており、脚部４４は、各々ブロック状とされて基板部４２から上側に突設されている。
【００３４】
リテーナ４０は、ケース１２の下側において基板部４２の長手方向が左右方向とされてリテーナ配置部３２に対向される。また、リテーナ４０は、脚部４４が上側にされて、脚部４４側からリテーナ配置部３２内に挿入されることで、リテーナ配置部３２に配置される。
【００３５】
リテーナ４０の脚部４４には、複数のガイド孔４６が形成されており、脚部４４には、ガイド孔４６が各々前後方向に貫通されている。ガイド孔４６は、脚部４４の各々に左右方向に配列されており、ガイド孔４６の開口は、後下側挿通孔２２及び前下側挿通孔２８の各々よりも上下方向に長い略矩形状とされている。また、リテーナ４０の脚部４４の上側には、複数のガイド溝４８が形成され、リテーナ４０の基板部４２の上側には、脚部４４の間に複数のガイド溝５０が形成されている。ガイド溝４８、５０は、各々延伸方向が前後方向とされている。脚部４４のガイド溝４８は、ケース１２のリテーナ配置部３２における支持溝３４に対向され、基板部４２のガイド溝５０は、ケース１２のリテーナ配置部３２における支持溝３６に対向されている。
【００３６】
後側端子配置部２０の後上側挿通孔２４と前側端子配置部２６の前上側挿通孔３０とは、リテーナ配置部３２の支持溝３４とリテーナ４０のガイド溝４８との間で形成される空間を介して連通される。また、後側端子配置部２０の後上側挿通孔２４に隣接する後下側挿通孔２２と前側端子配置部２６の前上側挿通孔３０に隣接する前下側挿通孔２８とは、リテーナ４０の脚部４４のガイド孔４６を介して連通される。さらに、後側端子配置部２０の左右方向中間部の後下側挿通孔２２と前側端子配置部２６の左右方向中間部の前下側挿通孔２８とは、リテーナ配置部３２の支持溝３６とリテーナ４０のガイド溝５０との間で形成される空間を介して連通される。
【００３７】
リテーナ４０には、ガイド溝４８、５０及びガイド孔４６の各々の内面（下側部分）に係合部（図示省略）が突出されており、係合部は、ケース１２の後側端子配置部２０と前側端子配置部２６との間に挿入されて配線端子の長手方向中間部に係合可能にされている。配線端子は、リテーナ４０の係合部が係合されることでケース１２に係止されて長手方向の移動が制限される。これにより、配線端子は、ケース１２内への挿入及び引抜きが制限される。
【００３８】
ここで、リテーナ４０は、脚部４４がリテーナ配置部３２の所定位置まで挿入された状態が仮の配置状態としての仮係止位置（仮配置位置）とされている（図４（Ａ）参照）。また、リテーナ４０は、仮係止位置からさらに配置状態としての本係止位置（配置位置）まで挿入されることで、ケース１２の下面と基板部４２の下面とが面一（略面一）となる（図４（Ｂ）参照）。
【００３９】
リテーナ４０では、配置位置とされることで、係合部の各々が配線端子の長手方向の中間部に係合される。また、リテーナ４０では、仮配置位置とされることで、係合部が配線端子の長手方向中間部から離間して、配線端子の係合部による係止が解除される。
【００４０】
コネクタ１０は、ケース１２の前側から装着部（ソケットや他のコネクタ等の相手側コネクタ）に装着されることで、装着部のターミナル（図示省略）が、ケース１２の前側端子配置部２６の前下側挿通孔２８及び前上側挿通孔３０の開口から挿入される。ターミナルは、導電性の棒状に形成されており、ターミナルの長手方向は、前後方向（各図の矢印ＦＲ方向及び矢印ＲＥ方向）に沿っている。装着部のターミナルの長手方向先端部（後側端部）が前側端子配置部２６の前下側挿通孔２８及び前上側挿通孔３０に挿入されると、ターミナルの長手方向先端部がケース１２内の配線端子先端部の筒状部分（前側部分）に嵌入される。これによって、コネクタ１０では、ケース１２内の配線端子と装着部のターミナルとが機械的且つ電気的に接続される。
【００４１】
一方、ケース１２の左側壁部１４及び右側壁部１６の各々には、断面開口が略矩形状とされた溝部５４が形成されており、溝部５４は、左側壁部１４及び右側壁部１６の各々の外側面の上下方向中間部に所定上下幅とされて、前後方向に延設されている。溝部５４の前端は、左側壁部１４及び右側壁部１６の各々の前端に開口されており、溝部５４の後端は、後側端子配置部２０のリテーナ配置部３２側の面（前面）に達している。
【００４２】
溝部５４の深さ寸法は、リテーナ配置部３２における左側壁部１４及び右側壁部１６の厚さ寸法（左右方向の厚さ寸法）とされている。また、溝部５４の上側は、リテーナ配置部３２の底部よりも下側にされている。このため、リテーナ配置部３２における左側壁部１４及び右側壁部１６には、溝部５４により矩形状の開口部５６が形成されており、リテーナ配置部３２は、開口部５６の各々により、左側壁部１４及び右側壁部１６の外方に開口されている。さらに、開口部５６の前面全体は、溝部５４により前側に開放されている。
【００４３】
また、ケース１２の左側壁部１４及び右側壁部１６には、切欠き部５８が各々形成されている。切欠き部５８は、リテーナ配置部３２における左側壁部１４及び右側壁部１６の前後方向の所定位置（例えば、中間位置）から前側端子配置部２６の後面との間に矩形状に形成されている。また、切欠き部５８は、リテーナ配置部３２における左側壁部１４及び右側壁部１６の下側部分に略矩形状に貫通形成されて下側に開口されている。
【００４４】
このため、リテーナ配置部３２における左側壁部１４及び右側壁部１６には、溝部５４（開口部５６）と切欠き部５８との間に前後方向に延びる梁部６０が形成されている。梁部６０は、ケース１２の左右方向の外側から内側（リテーナ配置部３２側）に向かうにしたがい上下方向の寸法が短くされており（図５（Ｂ）及び図５（Ｃ）参照）、梁部６０は、切欠き部５８側の面（下面）が左右方向に対して傾斜されている。
【００４５】
リテーナ配置部３２における左側壁部１４及び右側壁部１６の開口部５６の下側縁部は、係止部６２とされており、係止部６２は、開口部５６の切欠き部５８側（前側）となる梁部６０部分が本係止部６２Ａとされ、開口部５６の非切欠き部５８側（後側）となる梁部６０よりも後側が仮係止部６２Ｂとされている。
【００４６】
一方、図１及び図３に示すように、リテーナ４０の脚部４４の左右方向外側端部は、側壁６６とされており、側壁６６には、貫通孔６４が形成されている。貫通孔６４は、上下方向に長い長孔とされて、側壁６６に前後方向に貫通形成されている。また、脚部４４の側壁６６には、切込み部６８が形成されている。切込み部６８は、側壁６６の前後方向の中間位置に上下方向に形成され、上端部が後側に延設されて、延設先端が側壁６６の後側面に開口されている。また、切込み部６８は、側壁６６を左右方向に貫通して、貫通孔６４内に開口されている。
【００４７】
これにより、リテーナ４０の側壁６６は、前側壁６６Ａと揺動部としての後側壁６６Ｂとに分割されており、後側壁６６Ｂは、弾性力によって基端側となる基板部４２側部分を軸に上側が左右方向に揺動可能とされている。
【００４８】
リテーナ４０の側壁６６には、係止爪としての本係止爪７０と共に、仮係止爪７２が配置されている。本係止爪７０は、断面略山形状とされ、前側壁６６Ａの上下方向の中間部に突設されており、本係止爪７０は、前側壁６６Ａ内で前後方向に延設されている。また、仮係止爪７２は、断面略山形状とされ、本係止爪７０よりも上側となる後側壁６６Ｂの先端部（上端部）から突出されており、仮係止爪７２は、後側壁６６Ｂ内で前後方向に延設されている。
【００４９】
リテーナ４０の本係止爪７０は、ケース１２のリテーナ配置部３２における左側壁部１４及び右側壁部１６の切欠き部５８に対応されている。また、リテーナ４０の仮係止爪７２は、ケース１２のリテーナ配置部３２における左側壁部１４及び右側壁部１６の切欠き部５８より後側部分（非切欠き部５８部分）に対応されている。
【００５０】
本係止爪７０は、リテーナ４０がリテーナ配置部３２の配置位置に配置された状態で、下側縁が本係止部６２Ａに当接して、本係止部６２Ａに係止される（図５（Ｃ）参照）。また、仮係止爪７２の下端と本係止爪７０の上端との間隔は、略梁部６０のケース１２内側端の上下方向寸法とされている（図５（Ｂ）参照）。また、仮係止爪７２は、リテーナ４０がリテーナ配置部３２の仮配置位置に配置された状態で、下側縁が仮係止部６２Ｂに当接して、仮係止部６２Ｂに係止される（図５（Ａ）参照）。
【００５１】
図４（Ａ）、図５（Ａ）及び図５（Ｂ）に示すように、リテーナ４０は、ケース１２のリテーナ配置部３２に挿入される際、本係止爪７０が切欠き部５８内に入込んでいる状態で、仮係止爪７２が先に左側壁部１４及び右側壁部１６の開口部５６に達する。これにより、仮係止爪７２が開口部５６内に入込んで、仮係止爪７２が仮係止部６２Ｂに係合されて、リテーナ４０がケース１２に仮係止されて仮配置位置に配置される。
【００５２】
また、図４（Ｂ）及び図５（Ｃ）に示すように、リテーナ４０は、仮配置位置からさらにリテーナ配置部３２内に押されることで、仮係止爪７２が開口部５６内を上側に移動し、本係止爪７０が梁部６０を乗越えて開口部５６内に入込む。これにより、本係止爪７０が本係止部６２Ａに係合されて、リテーナ４０がケース１２に本係止され、リテーナ４０がリテーナ配置部３２の配置位置に配置される。
【００５３】
上記構成のコネクタ１０のケース１２には、リテーナ配置部３２が設けられており、リテーナ配置部３２は、ケース１２の下面において左側壁部１４と右側壁部１６との間で開口されている。リテーナ４０は、脚部４４側がリテーナ配置部３２に向けられ、脚部４４の側壁６６が左側壁部１４及び右側壁部１６の各々の内面に対向されて、リテーナ配置部３２に挿入され、リテーナ４０は、仮配置位置を経て配置位置に配置される。
【００５４】
コネクタ１０は、リテーナ４０が仮配置位置とされることで、ケース１２の後側端子配置部２０の後下側挿通孔２２及び後上側挿通孔２４の各々から前側端子配置部２６の前下側挿通孔２８及び前上側挿通孔３０の各々への接続端子の挿通及び引抜きが可能になる。これにより、コネクタ１０では、リテーナ４０の仮配置位置において後側端子配置部２０の後下側挿通孔２２及び後上側挿通孔２４の各々から前側端子配置部２６の前下側挿通孔２８及び前上側挿通孔３０の各々へ接続端子を挿通して、接続端子をケース１２に配置できる。
【００５５】
また、コネクタ１０では、リテーナ４０が配置位置とされることで、リテーナ４０の係合部がケース１２内に配置された接続端子に係合し、接続端子が係合部に係止される。これにより、コネクタ１０では、ケース１２の後側端子配置部２０の後下側挿通孔２２及び後上側挿通孔２４の各々の内部と前側端子配置部２６の前下側挿通孔２８及び前上側挿通孔３０の各々の内部とにおいて接続端子の各々が保持されて、ケース１２に接続端子が装着状態になる。
【００５６】
一方、ケース１２には、リテーナ配置部３２における左側壁部１４及び右側壁部１６の各々に開口部５６が形成されており、開口部５６の下縁部分が本係止部６２Ａ及び仮係止部６２Ｂとされている。左側壁部１４及び右側壁部１６には、開口部５６の下側に切欠き部５８が形成されており、本係止部６２Ａは、切欠き部５８の上側とされ、仮係止部６２Ｂは、本係止部６２Ａの後側（切欠き部５８より後側）とされている。
【００５７】
また、リテーナ４０の側壁６６には、本係止爪７０及び仮係止爪７２が形成されており、仮係止爪７２は、前側壁６６Ａに形成され、仮係止爪７２は、本係止爪７０よりも上側に配置され、揺動可能にされた後側壁６６Ｂに形成されている。
【００５８】
このため、リテーナ４０がリテーナ配置部３２に挿入されて上に押されると、本係止爪７０が切欠き部５８に配置され、仮係止爪７２が左側壁部１４及び右側壁部１６の内面を摺接しながら移動される。これにより、仮係止爪７２が開口部５６に入込むことで、本係止爪７０が切込み部５８内に配置されている状態で、仮係止爪７２が仮係止部６２Ｂに係合され、リテーナ４０がケース１２に仮係止されて、仮配置位置に配置される。
【００５９】
ここで、リテーナ４０は、本係止爪７０が切欠き部５８内となるので、左側壁部１４及び右側壁部１６の各々に本係止爪７０が接触するのが抑制される。また、リテーナ４０では、仮係止爪７２が後側壁６６Ｂに形成され、後側壁６６Ｂが揺動するので、仮係止爪７２が左側壁部１４及び右側壁部１６の各々の内面に摺接しながら移動する。このため、コネクタ１０では、リテーナ４０を容易に仮配置位置に配置できる。しかも、仮配置位置においては、梁部６０を挟むように本係止爪７０と仮係止爪７２とが配置されるので、リテーナ４０は、上側への移動が抑制されて、ケース１２に安定して保持される。
【００６０】
リテーナ４０は、仮係止位置からさらに上側に押されることで、仮係止爪７２が仮係止部６２Ｂから離間して開口部５６内に配置されると共に、本係止爪７０が梁部６０を乗越えて開口部５６に入込む。これにより、本係止爪７０が本係止部６２Ａに係合され、リテーナ４０がケース１２に本係止されて、ケース１２の配置位置に配置される。
【００６１】
ここで、本係止爪７０が弾性変形を抑制された前側壁６６Ａに形成されているので、本係止爪７０が本係止部６２Ａから外れるのが防止される。しかも、梁部６０の切欠き部５８側の面が傾斜されているので、本係止爪７０は、梁部６０を容易に乗越えることができるので、ケース１２へのリテーナ４０の配置位置への配置が容易となって、リテーナ４０をケース１２に容易に組付けることできる。
【００６２】
コネクタ１０では、リテーナ４０がケース１２に確実に保持されるので、ケース１２内に配置されている配線端子の脱落を効果的に防止できる。コネクタ１０では、ケース１２から配線端子が脱落するのを防止できるので、相手側コネクタに接続された際、ケース１２内の接続端子と相手側コネクタの接続端子と容易に接続できる。
【００６３】
ところで、コネクタ１０では、ケース１２の左側壁部１４及び右側壁部１６の各々に溝部５４を設けており、この溝部５４の深さ寸法がリテーナ配置部３２における左側壁部１４及び右側壁部１６の厚さ寸法とされている。これにより、ケース１２には、左側壁部１４及び右側壁部１６の各々に係止部６２（本係止部６２Ａ及び仮係止部６２Ｂ）が構成される開口部５６が形成される。このような、左側壁部１４及び右側壁部１６の各々の開口部５６は、ケース１２を成形する金型に左右方向（矢印ＨＲ方向及び矢印ＨＲ方向とは反対方向）へスライド可能なスライドコア等の特別な構成を設けなくても形成できる。このため、ケース１２を成形するための金型におけるスライドコア等の特別な構成の増加を抑制でき、金型の構造を簡素化できる。これによって、金型を低コストにでき、ひいては、コネクタ１０を低コストにできる。
【００６４】
また、係止部６２は、開口部５６の周縁部に形成されており、係止部６２を左側壁部１４及び右側壁部１６から突出するように樹脂成形する場合に比して、左側壁部１４及び右側壁部１６の各々の厚さを狭めることができる（厚さを薄くできる）。これにより、コネクタ１０では、左側壁部１４及び右側壁部１６の機械的強度又は剛性の低下を抑制しながらケース１２の左右方向の寸法を小さくできて、ケース１２を小型化できる。コネクタ１０では、ケース１２を小型化できることで、ケース１２の材料費を抑制できてより低コストにできる。また、コネクタ１０は、複数が配列されて使用される際のケース１２同士の間隔を狭めることができるので、装着部の省スペース化を図ることができる。
【００６５】
さらに、コネクタ１０では、リテーナ４０をケース１２に対して下側から直線的に相対移動させて、リテーナ４０をケース１２に組付けることができる。このため、リテーナ４０のケース１２への組付けが容易になり、リテーナ４０のケース１２への組付作業の作業効率を向上できる。
【００６６】
なお、本実施形態では、切欠き部５８を形成して、仮配置位置において本係止爪７０が切欠き部５８内に配置されるようにした。しかしながら、壁部は、切欠き部が形成されていない構成であってもよい。また、本実施形態では、仮係止爪７２を揺動可能にしたが、本係止爪７０及び仮係止爪７２を個別に又は一体で揺動可能としてもよい。
【００６７】
また、本実施形態では、壁部としての左側壁部１４及び右側壁部１６において左右方向外側に開口した溝部５４を形成した。しかしながら、溝部は、壁部の外側に開口されずに、壁部において開口部に達する略矩形孔状に設けられてもよい。
【００６８】
また、本実施形態では、配置体としてリテーナ４０を適用した。しかしながら、配置体は、コネクタのケースの一部を構成する部品であって、ケースに組付けられる部品であれば、リテーナに限定されることなく広く適用できる。配置体は、ケースに組付けられる際、仮の配置位置が無く（仮係止のための構成が無く）、配置位置に配置されるものであってもよい。
【符号の説明】
【００６９】
１０・・・コネクタ、１２・・・ケース、１４・・・左側壁部（壁部）、１６・・・右側壁部（壁部）、３２・・・リテーナ配置部（配置部）、４０・・・リテーナ（配置体）、５４・・・溝部、５６・・・開口部、５８・・・切欠き部、６２・・・係止部、６２Ａ・・・本係止部、６２Ｂ・・・仮係止部、６６Ｂ・・・後側壁（揺動部）、７０・・・本係止爪（係止爪）、７２・・・仮係止爪。
【図１】
2020115409.tif 000003
【図２】
2020115409.tif 000004
【図３】
2020115409.tif 000005
【図４】
2020115409.tif 000006
【図５】
2020115409.tif 000007